(57)【要約】【課題】施工現場で長尺の折板屋根材を設置場所まで比較的少人数で容易に搬送して葺設することができる折板屋根材運搬装置、並びにこの折板屋根材運搬装置を用いた折板屋根葺設工法を提供すること。【解決手段】屋根２上を走行可能であって作業者が押し走行する際に握持する走行ハンドル１が設けられている屋根上走行体３と、この屋根上走行体３に設けられ折板屋根材４を載置支承する支承部５と、前記屋根上走行体３に設けられ前記支承部５に支承された折板屋根材４を、傾斜可動させることで持ち上げると共に屋根上走行体３の前方側へ滑り落下させる持ち上げ滑り落下部６とを備えている折板屋根材運搬装置。【選択図】図１
2019183616.tif 000002
【特許請求の範囲】
【請求項１】
屋根上を走行可能であって作業者が押し走行する際に握持する走行ハンドルが設けられている屋根上走行体と、この屋根上走行体に設けられ折板屋根材を載置支承する支承部と、前記屋根上走行体に設けられ前記支承部に支承された折板屋根材を傾斜可動させることで持ち上げると共に屋根上走行体の前方側へ滑り落下させる持ち上げ滑り落下部とを備えていることを特徴とする折板屋根材運搬装置。
【請求項２】
前記屋根上走行体の前側に、前記持ち上げ滑り落下部の前端部が軸着されてこの軸着部を支点に持ち上げ滑り落下部が起伏回動自在に設けられ、この軸着部より屋根上走行体の後側に前記支承部が配設されていて、この支承部に支承されている折板屋根材が前記持ち上げ滑り落下部を起動させることでこの持ち上げ滑り落下部に持ち上げられると共に、起動により傾斜状態となったこの持ち上げ滑り落下部に沿って折板屋根材が前記屋根上走行体の前方側へ滑り落下するように構成されていることを特徴とする請求項１記載の折板屋根材運搬装置。
【請求項３】
前記支承部に、折板屋根材を載置支承可能で且つ載置支承した折板屋根材を前記屋根上走行体の走行方向と直交する方向へ移送可能な支承ローラーが設けられていることを特徴とする請求項１，２のいずれか１項に記載の折板屋根材運搬装置。
【請求項４】
前記屋根上走行体の前部に、前記支承部に支承されている折板屋根材の屋根上走行体前方への落下を防止する落下防止ストッパーを着脱自在に取付可能なストッパー取付部が設けられていることを特徴とする請求項１〜３のいずれか１項に記載の折板屋根材運搬装置。
【請求項５】
前記持ち上げ滑り落下部は、前記支承部に支承された前記折板屋根材を傾斜可動させることで持ち上げた際に、この折板屋根材を前記屋根上走行体の前方側へ滑り落下させる落下ローラーが設けられていることを特徴とする請求項１〜４のいずれか１項に記載の折板屋根材運搬装置。
【請求項６】
屋根上に、間隔を置いて前記請求項１〜５のいずれか１項に記載の折板屋根材運搬装置を複数設置し、全ての折板屋根材運搬装置の支承部に長尺折板屋根材を載置支承した後、複数の折板屋根材運搬装置を一斉に折板屋根材設置場所まで走行移動し、複数の折板屋根材運搬装置の持ち上げ滑り落下部を一斉に傾斜可動させることで前記支承部に支承されていた折板屋根材を持ち上げて屋根上走行体の前方側へ滑り落下させ、落下させた折板屋根材を屋根上に固定することを特徴とする折板屋根葺設工法。
【請求項７】
屋根の端部に、折板屋根材を成形して送出するロール成形機を設置し、この屋根上の前記ロール成形機から送出される長尺折板屋根材の送出方向に、間隔を置いて前記請求項３記載の折板屋根材運搬装置を複数設置し、ロール成形機から送出される２０ｍ以上の長尺な折板屋根材を、このロール成形機に最も近い折板屋根材運搬装置の支承部の支承ローラーに載置支承しつつ移送して順次隣接する折板屋根材運搬装置の支承部へ折板屋根材を載置支承し、全ての折板屋根材運搬装置の支承部に折板屋根材を載置支承した後、複数の折板屋根材運搬装置を一斉に折板屋根材設置場所まで走行移動し、複数の折板屋根材運搬装置の持ち上げ滑り落下部を一斉に傾斜可動させることで前記支承部に支承されていた折板屋根材を持ち上げて屋根上走行体の前方側へ滑り落下させ、落下させた折板屋根材を屋根上に固定することを特徴とする折板屋根葺設工法。
【発明の詳細な説明】
【技術分野】
【０００１】
本発明は、長尺な折板屋根材の葺設を容易化する折板屋根材運搬装置並びにこの折板屋根材運搬装置を用いた折板屋根葺設工法に関するものである。
【背景技術】
【０００２】
工場などの広大な面積の屋根を有する建物への折板屋根の葺設は、従来、折板屋根材を成形するロール成形機を建物の屋根施工箇所の高さに合わせて設置し、ロール成形機より金属製の折板屋根材を成形して屋根上に送出し、送出された長尺な折板屋根材を多数の作業者が力を合わせて設置場所まで持ち運んだり、適当なキャリーを用いて設置場所まで運んで葺設している。
【０００３】
また、ロール成形機は大型の重量物であるため、これを屋根などの高所に設置するためには強固な足場が必要になる。そのため、一旦設置したロール成形機を移動することは容易ではなく、たとえ折板屋根材の葺設場所がロール成形機から遠く離れたとしても、ロール成形機は当初の設置位置から動かさずに、成形した折板屋根材を作業者が屋根上の葺設場所まで運搬するのが一般的であった。
【発明の概要】
【発明が解決しようとする課題】
【０００４】
このような屋根上での折板屋根材の運搬作業は、折板屋根材が数十ｍもの長尺材となると、折板屋根材自体が非常に重いために困難な作業となり、また、運搬時に折板屋根材が変形などを生じないように作業者を３〜５ｍ間隔で配置した多人数での作業となるので、人件費も嵩むという問題点があった。
【０００５】
本発明は、このような現状に鑑み、施工現場で長尺の折板屋根材を設置場所まで比較的少人数で容易に搬送して葺設することができる折板屋根材運搬装置、並びにこの折板屋根材運搬装置を用いた折板屋根葺設工法、並びに折板屋根材の搬送用ローラー架台としても使用可能な折板屋根材運搬装置を用いた折板屋根葺設工法を提供するものである。
【課題を解決するための手段】
【０００６】
添付図面を参照して本発明の要旨を説明する。
【０００７】
屋根２上を走行可能であって作業者が押し走行する際に握持する走行ハンドル１が設けられている屋根上走行体３と、この屋根上走行体３に設けられ折板屋根材４を載置支承する支承部５と、前記屋根上走行体３に設けられ前記支承部５に支承された折板屋根材４を傾斜可動させることで持ち上げると共に屋根上走行体３の前方側へ滑り落下させる持ち上げ滑り落下部６とを備えていることを特徴とする折板屋根材運搬装置に係るものである。
【０００８】
また、前記屋根上走行体３の前側に、前記持ち上げ滑り落下部６の前端部が軸着されてこの軸着部７を支点に持ち上げ滑り落下部６が起伏回動自在に設けられ、この軸着部７より屋根上走行体３の後側に前記支承部５が配設されていて、この支承部５に支承されている折板屋根材４が前記持ち上げ滑り落下部６を起動させることでこの持ち上げ滑り落下部６に持ち上げられると共に、起動により傾斜状態となったこの持ち上げ滑り落下部６に沿って折板屋根材４が前記屋根上走行体３の前方側へ滑り落下するように構成されていることを特徴とする請求項１記載の折板屋根材運搬装置に係るものである。
【０００９】
また、前記支承部５に、折板屋根材４を載置支承可能で且つ載置支承した折板屋根材４を前記屋根上走行体３の走行方向と直交する方向へ移送可能な支承ローラー８が設けられていることを特徴とする請求項１，２のいずれか１項に記載の折板屋根材運搬装置に係るものである。
【００１０】
また、前記屋根上走行体３の前部に、前記支承部５に支承されている折板屋根材４の屋根上走行体３前方への落下を防止する落下防止ストッパー９を着脱自在に取付可能なストッパー取付部10が設けられていることを特徴とする請求項１〜３のいずれか１項に記載の折板屋根材運搬装置に係るものである。
【００１１】
また、前記持ち上げ滑り落下部６は、前記支承部５に支承された前記折板屋根材４を傾斜可動させることで持ち上げた際に、この折板屋根材４を前記屋根上走行体３の前方側へ滑り落下させる落下ローラー29が設けられていることを特徴とする請求項１〜４のいずれか１項に記載の折板屋根材運搬装置に係るものである。
【００１２】
また、屋根２上に、間隔を置いて前記請求項１〜５のいずれか１項に記載の折板屋根材運搬装置Ａを複数設置し、全ての折板屋根材運搬装置Ａの支承部５に長尺折板屋根材４を載置支承した後、複数の折板屋根材運搬装置Ａを一斉に折板屋根材４設置場所まで走行移動し、複数の折板屋根材運搬装置Ａの持ち上げ滑り落下部６を一斉に傾斜可動させることで前記支承部５に支承されていた折板屋根材４を持ち上げて屋根上走行体３の前方側へ滑り落下させ、落下させた折板屋根材４を屋根２上に固定することを特徴とする折板屋根葺設工法に係るものである。
【００１３】
また、屋根２の端部に、折板屋根材４を成形して送出するロール成形機を設置し、この屋根２上の前記ロール成形機から送出される長尺折板屋根材４の送出方向に、間隔を置いて前記請求項３記載の折板屋根材運搬装置Ａを複数設置し、ロール成形機から送出される２０ｍ以上の長尺な折板屋根材４を、このロール成形機に最も近い折板屋根材運搬装置Ａの支承部５の支承ローラー８に載置支承しつつ移送して順次隣接する折板屋根材運搬装置Ａの支承部５へ折板屋根材４を載置支承し、全ての折板屋根材運搬装置Ａの支承部５に折板屋根材４を載置支承した後、複数の折板屋根材運搬装置Ａを一斉に折板屋根材４設置場所まで走行移動し、複数の折板屋根材運搬装置Ａの持ち上げ滑り落下部６を一斉に傾斜可動させることで前記支承部５に支承されていた折板屋根材４を持ち上げて屋根上走行体３の前方側へ滑り落下させ、落下させた折板屋根材４を屋根２上に固定することを特徴とする折板屋根葺設工法に係るものである。
【発明の効果】
【００１４】
本発明は上述のように構成したから、長尺折板屋根材を、複数の本折板屋根材運搬装置を用いて容易に設置場所まで運搬することができ、しかも設置場所まで運搬した折板屋根材を、持ち上げ滑り落下部の傾斜可動により設置場所へ容易に落下させることができるので、長尺折板屋根材に対する作業者の配置間隔を、従来の配置間隔より広く取ることができ、これにより作業者の人数及び人件費を大幅に削減可能となるなど、極めて実用性に優れた折板屋根材運搬装置並びに折板屋根葺設工法となる。
【００１５】
また、請求項２記載の発明においては、傾斜可動させることで支承部に支承されていた折板屋根材を持ち上げて屋根上走行体の前方側へ確実に滑り落下させる持ち上げ滑り落下部を簡易構成にして容易に設計実現可能となる一層実用性に優れた構成の折板屋根材運搬装置となる。
【００１６】
また、請求項３記載の発明においては、屋根上に間隔を置いて設置された全ての本折板屋根材運搬装置の支承部に対して、長尺折板屋根材を移送しつつ容易に載置支承することができる。即ち、屋根上の折板屋根材搬送用ローラー架台としても使用可能となる一層実用性に優れた構成の折板屋根材運搬装置となる。
【００１７】
また、請求項４記載の発明においては、ストッパー取付部に落下防止ストッパーを取り付けることにより、支承部に支承されている折板屋根材の屋根上走行体前方への落下を防止できると共に、この落下防止ストッパーが、長尺折板屋根材を載置支承した複数の本折板屋根材運搬装置を一斉に走行移動させた際の走行速度差の解消にも役立つなど、一層実用性に優れた構成の折板屋根材運搬装置となる。
【００１８】
また、請求項５記載の発明においては、支承部に支承された折板屋根材が、傾斜可動させた持ち上げ滑り落下部から落下ローラーを介して屋根上走行体前方側の設置場所へとスムーズに落下するので、持ち上げ滑り落下部の持ち上げ傾斜可動角度を小さくできる一層操作性に優れ、実用性に優れた構成の折板屋根材運搬装置となる。
【００１９】
また、請求項７記載の発明においては、前記作用・効果に加えて、屋根の端部に設置されたロール成形機から送出される長尺折板屋根材を、この折板屋根材の送出方向に間隔を置いて設置された全ての本折板屋根材運搬装置の支承部に対して移送しつつ容易に支承させることが可能となる一層実用性に優れた折板屋根葺設工法となる。
【図面の簡単な説明】
【００２０】
【図１】実施例１の折板屋根材運搬装置を示す斜視図である。
【図２】実施例１の折板屋根材運搬装置を示す、持ち上げ滑り落下部を起動させた状態の斜視図である。
【図３】実施例１の折板屋根材運搬装置を、折板屋根上に間隔を置いて複数設置し、各折板屋根材運搬装置の支承部に長尺な折板屋根材を載置支承した状態を示す概略説明斜視図である。
【図４】図３の説明側面図である。
【図５】図３に続いて、実施例１の折板屋根材運搬装置を折板屋根材の設置場所まで走行移動させ、持ち上げ滑り落下部を起動させて折板屋根材を設置場所に滑り落下させようとする状態を示す説明側面図である。
【図６】図４に続いて、走行ハンドルを付け替えて作業開始位置へ帰還しようとする状態を示す説明側面図である。
【図７】実施例２の折板屋根材運搬装置を示す、持ち上げ滑り落下部を少し起動させた状態の斜視図である。
【発明を実施するための形態】
【００２１】
好適と考える本発明の実施形態を、図面に基づいて本発明の作用を示して簡単に説明する。
【００２２】
屋根２上に、間隔を置いて本発明の折板屋根材運搬装置Ａを複数設置し、この全ての折板屋根材運搬装置Ａの支承部５に長尺な折板屋根材４を載置支承する。
【００２３】
次いで、例えば複数の折板屋根材運搬装置Ａに一人ずつ作業者を従事させ、各作業者が走行ハンドル１を握持し押し走行することで複数の折板屋根材運搬装置Ａを一斉に折板屋根材４の設置場所まで移動する。
【００２４】
次いで、複数の折板屋根材運搬装置Ａの前記持ち上げ滑り落下部６を一斉に傾斜可動させることで、前記支承部５に支承されていた折板屋根材４を持ち上げて屋根上走行体３の前方側へ滑り落下させ、落下した折板屋根材４を屋根２上に固定（葺設）する。
【００２５】
従って、例えば、数十ｍもの長尺な折板屋根材４を、複数の本折板屋根材運搬装置Ａを用いて容易に設置場所まで運搬でき、しかも多数の作業者が折板屋根材４を持ち上げて設置場所へと配設するのではなく、持ち上げ滑り落下部６を手動あるいは動力により自動で傾斜可動させることにより長尺な折板屋根材４を設置場所へと容易に落下配設できるので、この折板屋根材４の設置場所への配設作業が容易に行われる。
【００２６】
即ち、従来は長尺折板屋根材４が重いために３〜５ｍ間隔で作業者を配置して折板屋根材４を多人数による手作業で設置場所へ配設しなければならなかった（作業者一人あたりの荷重負担は１５〜２５ｋｇにもなっていた）が、本発明の折板屋根材運搬装置Ａを用いれば、上記したように折板屋根材４を設置場所に簡単に落下配設可能であるため、折板屋根材４に対し６〜９ｍ間隔で作業者を配置しても事足りることとなり、従って作業者数も人件費も大幅に削減可能である。
【００２７】
また、例えば、前記支承部５に、折板屋根材４を載置支承可能で且つ載置支承した折板屋根材４を前記屋根上走行体３の走行方向と直交する方向へ移送可能な支承ローラー８が設けられている場合には、屋根２上に間隔を置いて設置されている複数の折板屋根材運搬装置Ａに対し、長尺折板屋根材４の端部を、最も屋根２の端側に設置されている折板屋根材運搬装置Ａの支承部５から載置支承しつつこの支承部５の支承ローラー８により隣接する折板屋根材運搬装置Ａの支承部５へと折板屋根材４の端部を順次移送していくと、全ての折板屋根材運搬装置Ａの支承部５に折板屋根材４を容易に載置支承することができる。即ち、このように折板屋根材運搬装置Ａを構成した場合には、屋根２上で折板屋根材４の搬送用ローラー架台としても使用可能である。
【実施例１】
【００２８】
本発明の具体的な実施例１について図１〜図６に基づいて説明する。
【００２９】
本実施例の折板屋根材運搬装置Ａは、屋根２上を走行可能であって作業者が押し走行する際に握持する走行ハンドル１が設けられている屋根上走行体３と、この屋根上走行体３に設けられ折板屋根材４を載置支承する支承部５と、前記屋根上走行体３に設けられ前記支承部５に支承された折板屋根材４を、傾斜可動させることで持ち上げると共に屋根上走行体３の前方側へ滑り落下させる持ち上げ滑り落下部６とを備えている。
【００３０】
具体的には、本実施例の屋根上走行体３は、図１，図２に示すような長さを有する金属製の帯板材で構成されている。
【００３１】
また、この屋根上走行体３を構成する帯板材は、その長さ方向と直交する方向の断面形状が下部開口型のコ字状をなすように折曲形成され、さらに両側の垂下部の下端が断面Ｌ字状に折曲形成されて、この垂下部下端の水平下面が、屋根２上を走行（滑走）可能な滑走面19として構成されている。以下、本実施例では、この屋根上走行体３の長さ方向を前後方向と定めて説明する。
【００３２】
また、この屋根上走行体３の下部前後には、車輪11が設けられていて、屋根２上の段差をスムーズに乗り越えて走行可能となるように構成されている。
【００３３】
また、この屋根上走行体３の上面の前側と後側に、角形筒部12が立設状態に設けられ、この角形筒部12が前記走行ハンドル１を着脱自在に取付可能なハンドル取付部12として構成されている。即ち、本実施例は、屋根上走行体３の前側と後側とに走行ハンドル１を付け替え可能に構成されている。
【００３４】
ここで、本実施例の走行ハンドル１について説明すると、角棒（角筒）状の立上がり杆20の上端部左右に、丸棒（円筒）状の握持杆21が突設されたＴ字状体に構成されており、この走行ハンドル１の立上がり杆20の下端を前記ハンドル取付部12に挿脱自在に挿し込むと、屋根上走行体３に対しこの走行ハンドル１が立設状態で取付けられるように構成されている。
【００３５】
また、この走行ハンドル１は、ハンドル取付部12に取付けられた際に、前記握持杆21が作業者の腰付近の高さに存するように設定構成され、この操作ハンドル１の握持杆21を作業者が握持して屋根上走行体３を容易に押し走行可能に構成されている（図３参照）。
【００３６】
また、この屋根上走行体３は、折板屋根材４の谷部22に収納配設可能な左右幅を有する形状（前後方向に細長い形状）に設定構成されている。
【００３７】
図中符号13は屋根上走行体３を持ち運ぶ際に使用する取手である。
【００３８】
本実施例の支承部５は、折板屋根材４を載置支承可能で且つ載置支承した折板屋根材４を前記屋根上走行体３の走行方向と直交する方向へ移送可能な支承ローラー８で構成されている。尚、この支承部５は、支承ローラー８以外の構成が採用されていても良い。
【００３９】
具体的には、前記屋根上走行体３の中ほどの上面に、前記折板屋根材４の谷部22の下面を載置支承しながら屋根上走行体３の左右方向へ移送可能な水平支承ローラー14が設けられていると共に、この水平支承ローラー14よりやや後方側に、折板屋根材４の谷部22に隣接する傾斜部23の下面を載置支承しながら屋根上走行体３の左右方向へ移送可能な傾斜支承ローラー15が設けられている。即ち、本実施例の支承部５（支承ローラー８）は、水平支承ローラー14と傾斜支承ローラー15とから構成されている。
【００４０】
また、詳しく図示していないが、水平支承ローラー14は、屋根上走行体３に対し昇降調整可能に設けられ、傾斜支承ローラー15は、屋根上走行体３に対し傾斜角度調整可能に設けられていて、運搬対象の折板屋根材４の形状に応じて適宜調整可能に構成されている。
【００４１】
即ち、本実施例の支承部５は、水平支承ローラー14と傾斜支承ローラー15とに折板屋根材５の谷部22と傾斜部23の下面を当接させて支承可能であると共に、この支承ローラー14・15により本折板屋根材運搬装置Ａに対して、長尺な折板屋根材４を左右方向に移送可能しつつ容易に支承部５に支承することができる。換言すると、本実施例の支承部５は、屋根２上で折板屋根材４の搬送用ローラー架台としても使用可能に構成されている。
【００４２】
本実施例の持ち上げ滑り落下部６は、前記屋根上走行体３の前後幅よりやや小さい前後幅を具備する左右一対の帯状基板24と、この左右一対の帯状基板24を、その前側と後端部の二箇所で連結する連結板25とから成る平面視略ロ字状の枠部材で構成されている。そして、この持ち上げ滑り落下部６の左右の前端部が、屋根上走行体３の前端部上面に設けられた軸受部16に軸着されていて、この軸着部７を支点に持ち上げ滑り落下部６の後側が起伏回動自在に設けられ（図２，図５参照）、この持ち上げ滑り落下部６を伏動させて屋根上走行体３の上面に載置すると、この持ち上げ滑り落下部６の中央開口部26内に前記支承部５たる支承ローラー８（14・15）が配設して、この持ち上げ滑り落下部６より支承ローラー８（14・15）が上方へ突出した状態となるように構成されている（図４，図６参照）。
【００４３】
また、この持ち上げ滑り落下部６の後端部の連結板25の左右端部には、この持ち上げ滑り落下部６を起動操作するためのＬ字状の落下操作ハンドル17が設けられ、この落下操作ハンドル17を操作して持ち上げ滑り落下部６を起動させると、前記支承ローラー８（14・15）に支承されている折板屋根材４がこの持ち上げ滑り落下部６に起動途中で支持されて持ち上げられると共に、起動により傾斜状態となったこの持ち上げ滑り落下部６に沿って前記屋根上走行体３の前方へ滑り落下するように構成されている。
【００４４】
また、本実施例では、前記軸着部７と前記落下操作ハンドル17の間の位置の近傍に前記支承部５（支承ローラー８）が配設される位置関係を採用したことにより、持ち上げ滑り落下部６で支承ローラー８に載置支承されている折板屋根材４を持ち上げる際には、軸着部７が支点，落下操作ハンドル17が力点，持ち上げ滑り落下部６の前記支承ローラー８に対応する軸着部７と落下操作ハンドル17の間の途中部が作用点となる第二種テコ構造を具備することとなり、これにより折板屋根材４の持ち上げ作業が比較的小さい力の手動操作で行われるように構成されている。
【００４５】
また、この持ち上げ滑り落下部６について更に詳しく説明すると、左右一対の前記帯状基板24が平坦上面を有する左右対称の断面Ｌ字状に折曲されており、この左右の帯状基板24の平坦上面が、折板屋根材４を支持しつつ滑動落下させる滑動面27として構成されている。
【００４６】
また、前記屋根上走行体３の前端部には、起動により傾斜状態となった持ち上げ滑り落下部６から滑り落下してくる折板屋根材４を引き続き滑動させる補助スロープ部18が設けられている。
【００４７】
尚、図示していないが、支承ローラー８を設けずに、この持ち上げ滑り落下部６の滑動面27が支承部５として機能する構成が採用されていても良い。
【００４８】
また、持ち上げ滑り落下部６は、手動でなく、適宜な動力によって起伏回動する構成が採用されていても良い。
【００４９】
また、本実施例は、前記屋根上走行体３の前部に、前記支承部５に支承されている折板屋根材４の屋根上走行体３前方への落下を防止する落下防止ストッパー９を着脱自在に取付可能なストッパー取付部10が設けられている。
【００５０】
具体的には、屋根上走行体３の前側に設けられている前記ハンドル取付部12がストッパー取付部10としても機能するように構成されており（ハンドル取付部12がストッパー取付部10を兼用する構成とされており）、このストッパー取付部10に適当な角材などを落下防止ストッパー９として採用して挿込取付可能に構成されている。
【００５１】
次に、本実施例の折板屋根材運搬装置Ａを用いた折板屋根葺設工法を説明する。
【００５２】
尚、図面は、既設の折板屋根２上に、新たな折板屋根材４を葺設する二重折板葺屋根の葺設工法を図示しているが、本発明はこれに限らず、新規な折板屋根の葺設工法にも適用可能である。図中符号28は二重葺き用金具である。
【００５３】
先ず、折板屋根２の端部に、折板屋根材４を成形して送出する図示省略のロール成形機を足場を組むなどして設置し、このロール成形機で成形された長尺な折板屋根材４の送出方向に、本実施例の折板屋根材運搬装置Ａを複数８〜９ｍの間隔を置いて折板屋根２上に設置する。また、各折板屋根材運搬装置Ａは、屋根上走行体３後部のハンドル取付部12に走行ハンドル１を取付けておき、屋根上走行体３前部のストッパー取付部10（ハンドル取付部12）に角木材を採用した落下防止ストッパー９を取付けておく。
【００５４】
次いで、最もロール成形機に近い位置に設置されている折板屋根材運搬装置Ａの前記支承ローラー８に、ロール成形機から送出された長尺折板屋根材４を載置支承しつつ移送して順次隣接する折板屋根材運搬装置Ａの支承ローラー８へ例えば３０ｍ以上の長さの折板屋根材４を載置支承し、全ての折板屋根材運搬装置Ａの支承ローラー８に折板屋根材４を載置支承する（図３，図４参照）。
【００５５】
尚、例えば、予め成形された長尺な折板屋根材４を、屋根２上に設置した複数の本折板屋根材運搬装置Ａの支承部５上にクレーンなどの重機で吊り降ろして載置支承することもできる。
【００５６】
次いで、複数の折板屋根材運搬装置Ａに、一台につき一人の作業者が従事し、作業者全員が息を合わせて一斉に折板屋根材４設置場所に向かって走行移動する。
【００５７】
この際、落下防止ストッパー９によって、支承部５上の折板屋根材４が前方へ落下することは阻止され、尚且つ走行速度が他と比べて遅い作業者の折板屋根材運搬装置Ａは、折板屋根材４が落下防止ストッパー９に接することになるので作業者が遅れに気付くことができると共に、板屋根材４が落下防止ストッパー９に接することで他の早い作業者の折板屋根材運搬装置Ａに引っ張られるので、自動的に増速して遅れが解消されることになる。
【００５８】
走行により折板屋根材４設置場所の手前の位置に至ったら、落下防止ストッパー９を取り外して複数の折板屋根材運搬装置Ａの前記持ち上げ滑り落下部６を一斉に傾斜可動させる（図５参照）。この際、走行ハンドル１も取り外すようにすると、落下操作ハンドル17を握持して持ち上げ滑り落下部６を傾斜可動操作し易い。
【００５９】
すると、前記支承部５に支承されていた折板屋根材４が持ち上げ滑り落下部６によって持ち上げられると共に、傾斜状態となる持ち上げ滑り落下部６に沿って屋根上走行体３の前方側へ滑り落下することになり、この落下した折板屋根材４を屋根２上の設置場所に固定することができる。
【００６０】
次いで、走行ハンドル１を屋根上走行体３前部のハンドル取付部12（ストッパー取付部10）に付け替えて、屋根上走行体３を逆向きに走行させてロール成形機付近の作業開始位置まで帰還し（図６参照）、再度ロール成形機から送出される折板屋根材４を支承部５（支承ローラー８）に載置支承し、再度設置場所まで移動して上記作業を繰り返し、折板屋根２（下層折板）の上部全面に新たな折板屋根（上層折板）を葺設し、作業終了となる。
【００６１】
尚、予めロール成形機の折板屋根材４送出方向に複数の本折板屋根材運搬装置Ａを待機させておき、最初の折板屋根材４が設置場所へ運ばれた後、待機しておいた折板屋根材運搬装置Ａに折板屋根材４を載置支承させて次の葺設作業に備えるようにすると、より作業を効率化できる。また、この場合、作業開始位置まで帰還させた折板屋根材運搬装置Ａは、折板屋根２（下層折板）の谷部22に収納しておくことが可能であるので、次の折板屋根材４運搬の支障とならない。
【実施例２】
【００６２】
本発明の具体的な実施例２について図７に基づいて説明する。
【００６３】
本実施例の折板屋根材運搬装置Ａは、前記実施例１とは異なる構成の持ち上げ滑り落下部６が採用されている場合である。
【００６４】
具体的には、本実施例の持ち上げ滑り落下部６は、前記支承部５に支承された前記折板屋根材４を傾斜可動させることで持ち上げた際に、この折板屋根材４を前記屋根上走行体３の前方側へ滑り落下させる落下ローラー29が設けられている。
【００６５】
即ち、本実施例によれば、前記落下ローラー29により折板屋根材４が前記屋根上走行体３の前方側へ滑り落下し易くなるように構成されており、これにより持ち上げ滑り落下部６の持ち上げ量（持ち上げ角度）を実施例１より小さくできるので操作性に優れる。
【００６６】
また、更に詳しく説明すると、前記落下ローラー29は、前記帯状基板24の横幅と略同等の横幅と前後長さを有する平面視長方形枠状のローラー設置台30に多数個が前後並設状態に設けられており、この多数の落下ローラー29を具備するローラー設置台30が、その長さ方向が帯状基板24の長さ方向と合致するようにして左右の帯状基板24の夫々の滑動面27上に付設されている。即ち、本実施例は、持ち上げ滑り落下部６の上部左右に、その前後方向に沿って多数の落下ローラー29が並設状態に設けられている。
【００６７】
また、このローラー設置台30は、その後端部が前記帯状基板24の後端より前方側の前記傾斜支承ローラー15の後端部と同等の位置に配設されて、このローラー設置台30の前端部が帯状基板24の前端より前方へ突出状態に配設されており（ローラー設置台30が帯状基板24に対して前方へ位置ずれした状態で付設されており）、これにより持ち上げ滑り落下部６を持ち上げた際に、このローラー設置台30の突出前端部分が屋根２に降下接近してローラー設置台30の前側に存する落下ローラー29が前記補助スロープ18と同等の機能を果たすように構成されている。
【００６８】
また、この際、本実施例の補助スロープ18は、ローラー設置台30前端部分の下部が接することで持ち上げ滑り落下部６の持ち上げ過ぎを防止する過回動ストッパーとして機能するように構成されている。
【００６９】
また、このローラー設置台30の前端部には、上面が先端側ほど下降傾斜するスロープ形状であって、このローラー設置台30前端部から折板屋根材４をスムーズに滑り落下させるための案内キャップ31が付設されている。
【００７０】
他の構成は、前記実施例１と同様である。
【００７１】
尚、本発明は、実施例１，２に限られるものではなく、各構成要件の具体的構成は適宜設計し得るものである。
【符号の説明】
【００７２】
１  走行ハンドル
２  屋根
３  屋根上走行体
４  折板屋根材
５  支承部
６  持ち上げ滑り落下部
７  軸着部
８  支承ローラー
９  落下防止ストッパー
10  ストッパー取付部
29  落下ローラー
Ａ  折板屋根材運搬装置
【図１】
2019183616.tif 000003
【図２】
2019183616.tif 000004
【図３】
2019183616.tif 000005
【図４】
2019183616.tif 000006
【図５】
2019183616.tif 000007
【図６】
2019183616.tif 000008
【図７】
2019183616.tif 000009